(57)【特許請求の範囲】
【請求項１】
枕本体を、詰物挿入口を有する複数の小室に分割し、該小室内に、小室を上下２層に区画するセパレートシートを、詰物挿入口側を自由状態として設け、各小室内に異種の詰物を封入取出可能とし、小室内のセパレートシートは、詰物挿入口側にオーバーサイズ部分を有し、セパレートシートの長さは小室内の長さより長く、オーバーサイズ部分を折り返すことにより小室内の詰物をカバーし詰物の混合を防止したことを特徴とする枕。
【発明の詳細な説明】
【０００１】
【発明の属する技術分野】
本発明は枕の表側及び裏側に面する詰物の材質及び量、その組み合わせを適宜変更し使用することの出来る枕に関する。
【０００２】
【従来の技術】
従来最も普通に使用されている枕は、袋状をなした側地内に単一の素材よりなる詰物例えば、そばがら，パンヤ，ビーズ等の球状体等を封入しているが、それらの詰物はそれぞれ固有の硬さ，表面の摩擦係数，熱伝導率等を有し、使用時に冷感或いは暖感，硬軟の程度等夫々についての特徴を発現することになるが、単一の素材の詰物であると枕の部位により感触を違えようとすることは出来なかった。
【０００３】
【発明が解決しようとする課題】
本発明は上記の点に鑑みて、枕内の詰物の素材及び使用する量を使用者の好みに応じて枕の表裏側或いはその双方の詰物を適宜に変更することが出来る枕を得ることを目的とする。
【０００４】
【課題を解決するための手段】
本発明枕は、枕本体を詰物挿入口を有する複数の小室に分割し、該小室内に、小室を上下２層に区画するセパレートシートを、詰物挿入口側を自由状態として設け、各小室内に異種の詰物を封入取出可能とし、小室内のセパレートシートは、詰物挿入口側にオーバーサイズ部分を有し、セパレートシートの長さは小室内の長さより長く、オーバーサイズ部分を折り返すことにより小室内の詰物をカバーし詰物の混合を防止したものとした。
【０００５】
【発明の実施の形態】
本発明枕１の実施の形態を図面と共に以下説明する。
【０００６】
本発明枕１は、上下の側地２，３の周縁をヘムステッチ４し、袋体に構成し、上下の側地２，３間には適宜間隔で帯状の襠布５を介在させ、襠布５の上下を折り返してそれぞれ上下の側地２，３に縫着６することで複数の小室７を構成している。図示の例では小室７は、中央部分に身長方向に３つの小室７Ｃ，７Ｄ，７Ｅを列設し、その両側にそれぞれ身長方向に２つずつの小室７Ａ，７Ｂ及び７Ｆ，７Ｇを配した７Ａ〜７Ｇの７室よりなる。
【０００７】
上記襠布５の縫着時あらかじめ下側地３と図１Ｃに実線で輪郭を示すセパレートシート８と一点鎖線で輪郭を示すセパレートシート９とを重ね合わせた状態で縫着６することにより、上下側地２，３間にセパーレート８及び９を挟んだ３枚重ねとしている。セパレートシート８は小室７Ｅを除く小室７Ａ〜７Ｄ及び７Ｆ，７Ｇに設けられるもので全体を見た場合、大凡図１Ｃに実線で示す逆凹字形をなし、セパレートシート９は小室７Ｅに設けられるもので、図１Ｃに一点鎖線で示す長方形をしている。セパレートシート８，９は上下の側地２，３間にあって各小室７Ａ〜７Ｇを上下に２分する形となる。セパレートシート８は図１Ｃに２点鎖線で示す部分が上下側地２，３と一体に縫着６されることになり、セパレートシート９は図１Ｃに３点鎖線で示す部分が上下側地２，３と一体に縫着６されることになる。
【０００８】
各小室７Ａ〜７Ｇ内のセパレートシート８，９は、その長さが、各小室７Ａ〜７Ｇの長さ（身長方向の）Ｌよりも長く、オーバーサイズ部分１０が出来るため、小室７内にセパレートシート８を収納するときは図１Ｂに示す如くオーバーサイズ部分１０を各小室ごとに折り返す。この際に隣接する各小室内のセパレート８が互いに干渉することのないようオーバーサイズ部分１０の境界部分には切込１０ａを形成するようにしている。オーバーサイズ部分１０は後述する如く、セパレートシート８の上下に異別の詰物を収納した際に、それらが混合しないように一方の詰物を押さえている。前記各小室７の上側地２の一部にはファスナー１１が設けられており、各小室７に詰物を挿入することが出来るようにしている。
【０００９】
図示の側では、小室７を７室設けているが、これは枕１の中央部分に設けた小室７ｄによって後頭部を受けさせ、特にこの部分にその周囲とは異なった詰物を用いることが出来るようにし、その周囲の小室７Ａ〜７Ｃ，７Ｅ〜７Ｇによって頸椎その他を使用者の体形にフィットさせることの可能な構成である。その為に中央列は左右列よりも小室の数が多くなるので図１Ｃに示す如く、別途セパレートシート９を用いている。もし、小室の数を増やし、３室３列の全９室としたならば、２室３列の６室に対応するセパレートシートと、１室３列に対応するセパレートシートとの２枚のセパレートシートを上下側地の間に重ねて縫着すれば良く、小室の数に応じてセパレートシートの形状は変化させ得る。
【００１０】
本発明枕１に詰める詰物としては、従来一般に用いられているそばから、パンヤ，合成樹脂製ビーズ，薄い合成樹脂筒状体の両端を弧状に屈曲した筒体，合成繊維を小球体に丸めた綿体、その他適宜のものを使用することが出来る。それらを好みの硬さになるよう選択して所定小室のファスナー１１を開きセパレートシート８，９と下側地３との間に第１の詰物を入れ、セパレートシート８でそれを被う。次いでセパレートシート８と上側地２との間の空間に詰物を入れ所定量入れた処でセパレートシート８のオーバーサイズ部分１０を返して該部分１０で上部空間に入れた第２の詰物を被って、第２の詰物と第１の詰物とが混合しないようにしファスナー１１を閉じる。
【００１１】
上記の如き、各小室７への詰物封入に関して、例えば枕１の上面側には冷涼感を与える詰物を、下面側には柔軟さを感じさせる詰物をそれぞれ使用したとすれば、１つの枕を反転することで異種の感覚を得ることが出来るのは勿論のこと、内容物を適宜に容易に取り換えることで得られる特徴を変化させ得ることも可能となる。尚、小室７内のセパレートシート８の上下に同種の詰物を入れる事も勿論可能で、その際充填量を変化させることが出来るのも勿論である。
【００１２】
【発明の効果】
本発明枕は、枕本体を複数の小室に分割し、該小室内に、小室を上下２層に区画するセパレートシートを設けた。また、小室内のセパレートシートは、オーバーサイズ部分を有し、セパレートシートの長さは小室内の長さより長く、小室内でオーバーサイズ部分を折り返すことにより小室内の詰物をカバーできるものとしたために、上面側と下面側のそれぞれの小室内への異種の詰物を任意に選択して封入しても混合することなく、枕から受ける感触を自由に変更し所望のものとすることが出来、従って枕上面の感触を全く異なるものに自由に変更することも出来る。
【００１３】
本発明枕は、上下側地間に重ねた状態に置かれたセパレートシートを用いているために、小室内での異種の詰物を上層下層の２層に確実に分離することが出来、かつ、オーバーサイズ部分を単に折り返すことで上層下層の２層の詰物が混合することを容易に完全に防止することが出来、更に、詰物を取り出す際には単に折り返し部分をめくるだけて良く極めて効果的である。
【図面の簡単な説明】
【図１】図１Ａは本発明枕の平面図、図１Ｂは図１ＡのＢ−Ｂ線断面図、図１Ｃはセパレートシートの平面図。
【符号の説明】
１  枕
２  上側地
３  下側地
４  ヘムステッチ
５  襠布
６  縫着
７  小室
８，９  セパレートシーツ
１０  オーバーサイズ部分
１１  ファスナー
【図１】
0003873228.tif 000002